(57)【要約】【課題】番組の画質が識別可能な番組案内情報を出力できる電子機器を提供することである。【解決手段】電子機器は、受信手段と、出力手段を備える。前記受信手段は、複数番組を案内する第１の番組案内情報、及び第１の画質より高画質な第２の画質で出力可能な番組を示す高画質番組情報を受信する。前記出力手段は、前記第１の番組案内情報及び前記高画質番組情報に基づき、前記複数番組のうち第１の画質で出力可能な第１の番組と、第２の画質で出力可能な第２の番組とを識別して番組を案内する第２の番組案内情報を生成し、出力する。【選択図】図５
2014138394.tif 000002
【特許請求の範囲】
【請求項１】
複数番組を案内する第１の番組案内情報、及び第１の画質より高画質な第２の画質で出力可能な番組を示す高画質番組情報を受信する受信手段と、
前記第１の番組案内情報及び前記高画質番組情報に基づき、前記複数番組のうち第１の画質で出力可能な第１の番組と、第２の画質で出力可能な第２の番組とを識別して番組を案内する第２の番組案内情報を出力する出力手段と、
を備える電子機器。
【請求項２】
前記出力手段は、第１の画質の映像情報に基づき第１の画質で出力可能な第１の番組と、第１の画質の映像情報及び映像差分情報に基づき第２の画質で出力可能な第２の番組とを識別して表示する前記第２の番組案内情報を出力する請求項１の電子機器。
【請求項３】
前記出力手段は、放送波により受信される第１の画質の映像情報に基づき第１の画質で出力可能な第１の番組と、放送波により受信される第１の画質の映像情報及び放送波又はネットワークを介して受信される映像差分情報に基づき第２の画質で出力可能な第２の番組とを識別して表示する前記第２の番組案内情報を出力する請求項２の電子機器。
【請求項４】
前記出力手段は、放送波により受信される第１の画質の映像情報に基づき第１の画質で出力可能な第１の番組と、第２の画質の映像情報に基づき第２の画質で出力可能な第２の番組とを識別して表示する前記第２の番組案内情報を出力する請求項３の電子機器。
【請求項５】
前記出力手段は、放送波により受信される第１の画質の映像情報に基づき第１の画質で出力可能な第１の番組と、ネットワークを介して受信される第２の画質の映像情報に基づき第２の画質で出力可能な第２の番組とを識別して表示する前記第２の番組案内情報を出力する請求項４の電子機器
【請求項６】
前記出力手段は、第１の画質の映像情報及び映像差分情報に基づき第２の画質で出力可能な第２の番組に対応する第１の識別情報と、第２の画質の映像情報に基づき第２の画質で出力可能な第２の番組に対応する第２の識別情報とを含む前記第２の番組案内情報を出力する請求項５の電子機器。
【請求項７】
前記出力手段は、前記映像差分情報の受信状態に応じて、前記第１又は第２の番組案内情報を出力する請求項３の電子機器。
【請求項８】
前記出力手段は、前記第２の画質の映像情報の受信状態に応じて、前記第１又は第２の番組案内情報を出力する請求項５の電子機器。
【請求項９】
前記第２の番組案内情報に含まれた前記第１の番組の出力指示に対応し、前記第１の番組に対応する第１の画質の映像情報に基づき第１の画質で前記第１の番組を出力する第１の映像処理を実行し、前記第２の番組案内情報に含まれた前記第２の番組の出力指示に対応し、前記第２番組に対応する第１の画質の映像情報と前記第２の番組に対応する映像差分情報とに基づき第２の画質で前記第２の番組を出力する第２の映像処理を実行する映像処理手段を備える請求項２又は３の電子機器。
【請求項１０】
前記第２の番組案内情報に含まれた前記第１の番組の出力指示に対応し、前記第１の番組に対応する第１の画質の映像情報に基づき第１の画質で前記第１の番組を出力する第１の映像処理を実行し、前記第２の番組案内情報に含まれた前記第２の番組の出力指示に対応し、前記第２番組に対応する第２の画質の映像情報に基づき第２の画質で前記第２の番組を出力する第２の映像処理を実行する映像処理手段を備える請求項４又は５の電子機器。
【請求項１１】
前記出力手段は、前記第２の番組案内情報に含まれた前記第２の番組の記録指示に対応し、第１の画質又は第２の画質による記録を選択するための情報を出力する請求項１乃至１０の何れか一つの電子機器。
【請求項１２】
前記出力手段は、前記第２の番組案内情報に含まれた前記第２の番組の記録指示に対応し、第１の画質又は有料の第２の画質による記録を選択するための情報を出力する請求項１乃至１０の何れか一つの電子機器。
【請求項１３】
前記出力手段は、表示手段の表示性能に応じて、前記表示手段に対して前記第１又は第２の番組案内情報を出力する請求項１乃至１２の何れか一つの電子機器。
【請求項１４】
前記第２の番組案内情報から第２の画質で出力可能な番組を検索する検索手段を備える請求項１乃至１３の何れか一つの電子機器。
【請求項１５】
複数番組を案内する第１の番組案内情報、及び第１の画質より高画質な第２の画質で出力可能な番組を示す高画質番組情報を受信し、
前記第１の番組案内情報及び前記高画質番組情報に基づき、前記複数番組のうち第１の画質で出力可能な第１の番組と、第２の画質で出力可能な第２の番組とを識別して番組を案内する第２の番組案内情報を出力する情報出力方法。
【請求項１６】
複数番組を案内する第１の番組案内情報、及び第１の画質より高画質な第２の画質で出力可能な番組を示す高画質番組情報を受信する手順と、
前記第１の番組案内情報及び前記高画質番組情報に基づき、前記複数番組のうち第１の画質で出力可能な第１の番組と、第２の画質で出力可能な第２の番組とを識別して番組を案内する第２の番組案内情報を出力する手順と、
をコンピュータに実行させるための情報出力プログラム。
【発明の詳細な説明】
【技術分野】
【０００１】
本発明の実施形態は、電子機器、情報出力方法、及び情報出力プログラムに関する。
【背景技術】
【０００２】
デジタルＴＶの高画質化が進み、2K1K（水平1920×垂直1080）と呼ばれるフルハイビジョン映像を表示するデジタルＴＶが大幅に普及している。さらに、近年では、フルハイビジョン映像の画質を超える4K2K（水平4000×垂直2000程度）の映像を表示するデジタルＴＶも登場し始めている。
【０００３】
上記のように、映像が高画質化すると、放送局と映像機器との間で送受信される情報量が増加する。情報量を軽減するために、例えば、4K2Kの映像情報をダウンコンバートして2K1Kの映像情報を生成し、4K2Kの映像情報と生成された2K1Kの映像情報とに基づき映像差分情報を生成し、2K1Kの映像情報と映像差分情報とを送信することが考えられている。例えば、放送局は、2K1Kの映像情報と映像差分情報を送信し、デジタルＴＶ等の電子機器は、2K1Kの映像情報と映像差分情報を受信し、受信した2K1Kの映像情報と映像差分情報から4K2Kの映像を再生する。
【先行技術文献】
【特許文献】
【０００４】
【特許文献１】特開２０１０−１８３４６９号公報
【特許文献２】特許第４３７９８３１号公報
【特許文献３】特開２００９−１５２７３８号公報
【発明の概要】
【発明が解決しようとする課題】
【０００５】
一部の番組の高画質化により、2K1Kに対応した番組（2K1K番組）と4K2Kに対応した番組（4K2K番組）が混在する可能性がある。
【０００６】
デジタルＴＶは、電子番組ガイド等と呼ばれる番組案内情報を受信し表示することができるが、番組案内情報において2K1K番組と4K2K番組とを区別したいという要望がある。
【０００７】
本発明の目的は、番組の画質が識別可能な番組案内情報を出力できる電子機器、情報出力方法、及び情報出力プログラムを提供することである。
【課題を解決するための手段】
【０００８】
実施形態の電子機器は、受信手段と、出力手段を備える。前記受信手段は、複数番組を案内する第１の番組案内情報、及び第１の画質より高画質な第２の画質で出力可能な番組を示す高画質番組情報を受信する。前記出力手段は、前記第１の番組案内情報及び前記高画質番組情報に基づき、前記複数番組のうち第１の画質で出力可能な第１の番組と、第２の画質で出力可能な第２の番組とを識別して番組を案内する第２の番組案内情報を生成し、出力する。
【図面の簡単な説明】
【０００９】
【図１】実施形態に係る電子機器（映像表示装置）の外観の一例を示す図である。
【図２】実施形態に係る電子機器の内部構成の一例を示すブロック図である。
【図３】実施形態に係る電子機器の映像処理（例えば放送コンテンツの映像処理）の一例を示すブロック図である。
【図４】実施形態に係る第１の番組案内画面の一例を示す図である。
【図５】実施形態に係る第２の番組案内画面の一例を示す図である。
【図６】実施形態に係る高画質番組に関する情報の一例を示す図である。
【図７】実施形態に係る画面遷移の一例を示す図である。
【図８】実施形態に係る画面遷移の一例を示す図である。
【図９】実施形態に係る録画／視聴処理の一例を示す図である。
【発明を実施するための形態】
【００１０】
図１は、実施形態に係る電子機器（映像表示装置）の外観の一例を示す図である。本実施形態では、電子機器の一例としてデジタルＴＶ等の映像表示装置について説明するが、本実施形態は映像表示装置に限定されるものではない。例えば、電子機器は、デジタルレコーダでもよい。
【００１１】
図１に示すように、電子機器１は、表示装置７及び操作受信部２０を備え、ハードディスクドライブ（ＨＤＤ）などの外部記録機器１９と接続可能に構成されている。表示装置７は、例えば、映像画質表表示８ａを含む表示画面７０を表示する。操作受信部２０は、リモートコントローラなどの操作機器２１からの操作信号を受信する。
【００１２】
図２は、実施形態に係る電子機器の内部構成の一例を示すブロック図である。図２に示すように、電子機器１は、チューナ３、信号処理部４、映像処理部５、音声処理部６、表示装置７、スピーカ９、バス１０、制御部１１、ＲＡＭ１３、ＲＯＭ１４、フラッシュメモリ１５、内部記録装置１７、外部インターフェース１８、操作受信部２０、送受信部（ネットワークインターフェース）２２、ドライブ部２８を備える。
【００１３】
制御部１１は、ＣＰＵ１２を備え、映像の受信から出力（表示）までの各処理を制御する。ＲＡＭ１３は、制御部１１のワーキングメモリとして機能する。ＲＯＭ１４は、制御部１１の動作を制御するプログラム等を記憶する。フラッシュメモリ１５は、サーバ２７、ネットワーク２６、送受信部２２を介して受信された各種データ（更新プログラム等）を記憶する。
【００１４】
チューナ３は、アンテナ２を介して放送局からの放送信号を受信し、操作機器２１で指定されたチャンネルの信号を選択して出力する。信号処理部４は、チューナ３で選択された信号に含まれた映像信号と音声信号とを分離し、映像信号を映像処理部５へ出力し、音声信号を音声処理部６へ出力する。映像処理部５は映像信号をデコードし、表示装置７はデコードされた映像信号に基づく映像を表示する。音声処理部６は音声信号をデコードし、スピーカ９はデコードされた音声信号に基づく音声を出力する。
【００１５】
内部記録装置１７は、番組記録指示又は番組記録予約に基づき、映像及び音声信号を記録する。同様に、外部記録装置１９も、番組記録指示又は番組記録予約に基づき、外部インターフェース１８を介して出力される映像及び音声信号を記録する。
【００１６】
図３は、実施形態に係る電子機器の映像処理（例えば放送コンテンツの映像処理）の一例を示すブロック図である。図３に示すように、電子機器１は、第１の通信部３１、第１の入力部３２、第２の通信部３３、第２の入力部３４、記録処理部３５、記録部３６、再生処理部３７、映像情報デコード部３８、映像差分情報デコード部３９、映像出力処理部４０を備える。
【００１７】
ここで、図２に示すブロック図と図３に示すブロック図の対応関係について簡単に説明する。図２に示すチューナ３が、図３に示す第１の通信部３１及び第１の入力部３２に相当し、図２に示す送受信部２２又はチューナ３が、図３に示す第２の通信部３３及び第２の入力部３４に相当する。図２に示す内部記録装置１７及び外部記録機器１９が、図３に示す記録部３６に相当する。図２に示す信号処理部４、映像処理部５、及び音声処理部６が、図２に示す記録処理部３５、再生処理部３７、映像情報デコード部３８、映像差分情報デコード部３９、及び映像出力処理部４０に相当する。
【００１８】
上記説明した電子機器１による映像処理について説明する。
【００１９】
電子機器１は、放送波又はインターネットで配信されるHD画質の映像(メイン映像、例えば2K1K映像)よりも高解像度の映像（例えば4K2K映像）を出力することができ、表示装置７は、このような4K2K映像を表示することができる。
【００２０】
例えば、第１の通信部３１は、解像度Aのメイン映像情報（例えば2K1K映像）を受信する。第２の通信部３３は、メイン映像情報に対応する映像差分情報を要求し、解像度Aと解像度Aより高解像度の解像度B（B>A）の映像差分情報を受信する。映像差分情報は、2K1K映像と4K2K映像の差分情報である。なお、第１の通信部３１が、映像差分情報を受信してもよい。また、第１の通信部３１と第２の通信部３３は、共通の通信部であってもよい。
【００２１】
また、サーバが２７がメイン映像情報（例えば2K1K映像）に対応する高解像度メイン映像情報（例えば4K2K映像）を配信しているならば、第２の通信部３３が、メイン映像情報（例えば2K1K映像）に対応する高解像度メイン映像情報（例えば4K2K映像）を要求し、高解像度メイン映像情報を受信することもできる。
【００２２】
ここで、映像差分情報（映像差分データ）の生成方法の一例を説明する。
【００２３】
ソース映像（例えば4K2K映像）に基づき、ソース映像の解像度を落とした映像（例えば2K1K映像）を生成し、この映像をソース映像の解像度にアップスケーリングした映像（アップスケーリング映像）を生成する。ソース映像とアップスケーリング映像との差分から差分データを生成する。例えば、ソース映像とアップスケーリング映像とを画素単位で比較し、その差分を取る。例えば画素データのビット精度がNビットである場合、差分のビット精度を(N+1)ビットとすると、差分データから復元される映像は、ソース映像と等価な映像となるが、差分データの情報量は多くなる。Nビットの画素差分データのうち下位Mビット(N>M)を0とするなど離散データに変換することで隣接画素の差分データが同値になる可能性が高くなり、符号化によって差分データ全体のデータ量を削減することが可能である。ただしこの場合は、復元された映像とソース映像との差分が多くなることが予測される。また、これらのビット精度の切り替えを画面単位でおこなったり、画面内の領域に応じて切り替える、例えば画面中央はフルビット精度で差分をとり、画面端に向かってビット精度を下げる等の処理をすることも可能である。さらに、差分データを取得する際、輝度成分と色差成分すべての差分を取る、または、輝度成分のみの差分を取得する、などとすることで差分データのデータ量を調整することが可能である。
【００２４】
第１の入力部３２は、メイン映像情報を各部へ入力する。例えば、映像情報デコード部３８は、メイン映像情報をデコードし、映像出力処理部４０は、メイン映像情報に基づき第１の画質の第１の映像を出力する第１の映像処理を実行する。これにより、表示装置７は、第１の画質の第１の映像を表示する。また、第１の通信部３１は、電子番組ガイド等と呼ばれる番組案内情報を受信することもでき、メイン映像情報と同様に、映像出力処理部４０は、番組案内情報に基づき第１の番組案内画面（図４）を生成し、表示装置７は、第１の番組案内画面を表示することができる。
【００２５】
また、第２の入力部３４は、映像差分情報を各部へ入力する。例えば、映像差分情報デコード部３９は、映像差分情報をデコードし、映像出力処理部４０は、メイン映像情報及び映像差分情報に基づき第１の画質より高画質な第２の画質の第２の映像を出力する第２の映像処理（第１の高画質化処理）を実行する。これにより、表示装置７は、第２の画質の第２の映像を表示する。また、第２の通信部３３は、電子番組ガイド等と呼ばれる番組案内情報を受信することもでき、映像出力処理部４０は、番組案内情報に基づき第１の番組案内画面（図４）を生成し、表示装置７は、第１の番組案内画面を表示することができる。例えば、第１の番組案内画面は、縦軸方向に時間が割り当てられ、横軸方向にチャンネル番号（チャンネル名）が割り当てられ、複数の番組セルで構成される。１つの番組セルは１つの番組を案内する案内情報を含む。
【００２６】
さらに、第２の通信部３３が、メイン映像情報に対応する高解像度メイン映像情報を受信する場合は、映像出力処理部４０は、高解像度メイン映像情報に基づき第１の画質より高画質な第２の画質の第２の映像を出力する第２の映像処理（第２の高画質化処理）を実行する。これにより、表示装置７は、第２の画質の第２の映像を表示する。
【００２７】
また、記録指示に対応して、記録処理部３５は、メイン映像情報、映像差分情報、及び高解像度メイン映像情報を記録部３６へ記録し、再生指示に対応して、再生処理部３７は、記録部３６からメイン映像情報、映像差分情報、及び高解像度メイン映像情報を再生する。
【００２８】
例えば、放送番組をリアルタイムに再生する場合には、記録再生処理を省略して、映像出力処理部４０から放送番組に対応する映像を出力することができ、放送番組を記録してから再生する場合には、記録再生処理を経て、映像出力処理部４０から放送番組に対応する映像を出力することができる。
【００２９】
上記説明では、第１の番組案内画面（図４）の出力（表示）について説明した。次に、第２の番組案内画面（図５）の出力（表示）について説明する。
【００３０】
上記説明したように、例えば、第１の通信部３１が、放送波により各番組（各タイトル）に対応するメイン映像情報を受信することにより、映像出力処理部４０は、各番組を第１の画質で出力し、表示装置７は、各番組を第１の画質で表示することができる。
【００３１】
また、映像差分情報を提供している番組については、例えば、第２の通信部３３が、ネットワークを介してこの番組の映像差分情報を受信することにより、或いは、第１の通信部３１が放送波によりこの番組の映像差分情報を受信することにより、映像出力処理部４０は、この番組のメイン映像情報と映像差分情報とに基づきこの番組を第２の画質で出力し、表示装置７は、この番組を第２の画質で表示することができる。なお、映像差分情報に基づき生成された第２の画質を、アップグレード高画質と呼ぶ。
【００３２】
また、高解像度メイン映像情報を提供している番組については、例えば、第２の通信部３３が、ネットワークを介してこの番組の高解像度メイン映像情報を受信することにより、映像出力処理部４０は、この番組の高解像度メイン映像情報に基づきこの番組を第２の画質で出力し、表示装置７は、この番組を第２の画質で表示することができる。なお、高解像度メイン映像情報に基づき生成された第２の画質を、オリジナル高画質と呼ぶ。アップグレード高画質とオリジナル高画質は実質的に同じ品質であってもよいし、映像差分情報によってはオリジナル高画質の方がアップグレード高画質より高品質であってもよい。
【００３３】
上記のように、原則、各番組は、第１の画質で出力（表示）することができ、一部の番組が、アップグレード高画質で出力（表示）することができ、また、一部の番組が、オリジナル高画質で出力（表示）することができ、さらに、一部の番組がアップグレード高画質及びオリジナル高画質のどちらでも出力（表示）することがでる。
【００３４】
第２の番組案内画面は、縦軸方向に時間が割り当てられ、横軸方向にチャンネル番号（チャンネル名）が割り当てられ、複数の番組セルで構成される。１つの番組セルは１つの番組を案内する案内情報を含む。さらに、第２の番組案内画面は、第１の画質で出力可能な第１の番組と、第２の画質で出力可能な第２の番組とを識別して番組を案内する。例えば、図５に示すように、第２の画質（アップグレード高画質）で出力可能な番組のセルは、第２の画質（アップグレード高画質）で出力可能なこと又は映像差分情報が有ることを示す第１の識別マークＭ１を含む。また、第２の画質（オリジナル高画質）で出力可能な番組のセルは、第２の画質（オリジナル高画質）で出力可能なこと又は高解像度メイン映像情報が有ることを示す第２の識別マークＭ２を含む。さらに、第２の画質（アップグレード高画質）及び第２の画質（オリジナル高画質）のどちらでも出力可能な番組のセルは、第１の識別マークＭ１と第２の識別マークＭ２とを含む。例えば、「４Ｋアップグレード」、「４Ｋアップグレード高画質」、「４Ｋ（差）」を第１の識別マークＭ１とし、「４Ｋオリジナル」又は「４Ｋオリジナル高画質」、「４Ｋ」を第２の識別マークＭ２とする。
【００３５】
ユーザは、第２の番組案内画面を見るだけで、どの番組が第２の画質（アップグレード高画質）に対応し、どの番組が第２の画質（オリジナル高画質）に対応しているかを知ることができる。
【００３６】
次に、第２の番組案内画面の生成について説明する。例えば、放送波又はネットワークを介して第２の番組案内情報が送信（配信）されている場合は、第１の通信部３１又は第２の通信部３３が第２の番組案内情報を受信し、映像出力処理部４０が第２の番組案内情報に基づき第２の番組案内画面を生成し出力する。つまり、送信される番組案内情報が第１の識別マークＭ１と第２の識別マークＭ２とを含む場合には、受信した番組案内情報に基づき、第２の番組案内画面を生成し出力することができる。
【００３７】
或いは、放送波又はネットワークを介して第１の番組案内情報と高画質番組情報が送信（配信）されている場合は、第１の通信部３１又は第２の通信部３３が第１の番組案内情報と高画質番組情報を受信し、映像出力処理部４０が第１の番組案内情報と高画質番組情報に基づき第２の番組案内画面を生成し出力する。
【００３８】
つまり、送信される番組案内情報が第１の識別マークＭ１と第２の識別マークＭ２とを含まない場合には、さらに高画質番組情報を受信し、高画質番組情報から、番組案内情報に含まれる複数番組のうちの第２の画質で出力可能な番組を検出して、検出した番組に対応する番組セルに第１の識別マークＭ１又は第２の識別マークＭ２を挿入する。
【００３９】
高画質番組情報は、１又は複数の高画質番組に関する情報を含む。例えば、図６は、高画質番組情報に含まれる１つの高画質番組に関する情報の一例である。例えば、第２の通信部３３は、ネットワークを介してサーバ２７等から定期的に高画質番組情報の全て又は一部を受信する。第１の番組案内情報は複数番組のＩＤを含み、高画質番組情報は高画質番組のタイトル（番組ＩＤ）と情報の種類等を含む。情報の種類は、アップグレード高画質、オリジナル高画質、又はアップグレード高画質とオリジナル高画質を示す。
【００４０】
従って、制御部１１は、第１の番組案内情報に含まれる複数番組のＩＤと、高画質番組情報に含まれるＩＤから、第１の番組案内情報に含まれる複数番組のうち、アップグレード高画質、オリジナル高画質、又はアップグレード高画質とオリジナル高画質で出力可能な番組を検出することができる。
【００４１】
映像出力処理部４０は、第１の番組案内情報を構成する複数の番組セルのうち、アップグレード高画質で出力可能な番組に対応する番組セルに第１の識別マークを挿入し、オリジナル高画質で出力可能な番組に対応する番組セルに第２の識別マークを挿入し、アップグレード高画質及びオリジナル高画質で出力可能な番組に対応する番組セルに第１及び第２の識別マークを挿入する。以上により、映像出力処理部４０は、第１の番組案内情報と高画質番組情報とに基づき、第２の番組案内情報を生成し、出力することができる。
【００４２】
また、高画質番組情報は高画質番組の課金情報（有料又は無料）を含む。従って、制御部１１は、第１の番組案内情報に含まれる複数番組のＩＤと、高画質番組情報に含まれるＩＤから、第１の番組案内情報に含まれる複数番組のうち、有料番組を検出することができる。
【００４３】
映像出力処理部４０は、第１の番組案内情報を構成する複数の番組セルのうち、有料番組に対応する番組セルに有料マークを挿入する。以上により、映像出力処理部４０は、第１の番組案内情報と高画質番組情報とに基づき、有料マークを含む第２の番組案内情報を生成し、出力することができる。
【００４４】
また、放送波又はネットワークを介して第２の番組案内情報が送信（配信）されている場合に、高画質番組情報を利用し、第２の番組案内情報を更新することもできる。例えば、放送波又はネットワークを介して送信されている第２の番組案内情報が有料マークを含まない仕様であれば、映像出力処理部４０は、高画質番組情報を利用し、有料マークを含まない第２の番組案内情報を、有料マークを含む第２の番組案内情報へ更新することができる。
【００４５】
ここで、第１の番組案内情報と第２の番組案内情報の出力（表示）切り換えについて説明する。
【００４６】
制御部１１は、映像差分情報の受信状態を監視し、受信状態に応じて、第１の番組案内情報と第２の番組案内情報の出力（表示）を切り換える。
【００４７】
つまり、制御部１１は、映像差分情報の受信状態を監視し、映像差分情報及び高解像度メイン映像情報が受信できない場合には、第１の番組案内情報の出力（表示）を指示し、映像差分情報が受信できる場合には第２の番組案内情報の出力（表示）を指示する。
【００４８】
又は、制御部１１は、高解像度メイン映像情報の受信状態を監視し、映像差分情報及び高解像度メイン映像情報が受信できない場合には、第１の番組案内情報の出力（表示）を指示し、高解像度メイン映像情報が受信できる場合には第２の番組案内情報の出力（表示）を指示する。
【００４９】
或いは、制御部１１は、表示装置７の能力に応じて、第１の番組案内情報と第２の番組案内情報の出力（表示）を切り換える。つまり、制御部１１は、表示装置７の表示能力が第２の画質を表示不能と判定すると、第１の番組案内情報の出力（表示）を指示し、表示装置７の表示能力が第２の画質を表示可能と判定すると、第２の番組案内情報の出力（表示）を指示する。
【００５０】
さらに、アップグレード高画質又はオリジナル高画質の番組検索について説明する。例えば、第２の番組案内画面が表示された状態で、ユーザが、リモートコントローラなどの操作機器２１を介して、アップグレード高画質又はオリジナル高画質の番組検索を指示すると、制御部１１は、高画質番組情報等を参照して、第２の番組案内画面からアップグレード高画質又はオリジナル高画質で出力可能な番組を検索し、検索結果を出力することができる。
【００５１】
これにより、ユーザは、アップグレード高画質又はオリジナル高画質で出力可能な全ての番組を簡単に見つけることができる。
【００５２】
次に、図９に示すフローチャートを参照し、番組記録処理及び番組再生処理（視聴処理）について説明する。
【００５３】
図７に示すように、表示装置７が第２の番組案内画面を表示し、ユーザが、リモートコントローラなどの操作機器２１を介して番組セルＣ１（高画質で出力可能な番組のセル）を選択すると（ＳＴ１）、制御部１１は、選択された番組セルＣ１の番組Ｐ１に対応する番組予約メニューＭＥ１の出力を指示し、映像出力処理部４０は、番組予約メニューＭＥ１を出力し、表示装置７は、番組予約メニューＭＥ１を表示する（ＳＴ２）。例えば、番組予約メニューＭＥ１は、番組Ｐ１のタイトル等の番組情報を含み、さらに視聴予約の項目及び録画予約の項目を含む。
【００５４】
ユーザが、操作機器２１を介して録画予約の項目を選択し（ＳＴ３）、制御部１１が、高画質で出力可能な番組Ｐ１の録画予約であると判定し（ＳＴ４、ＹＥＳ）、さらに高画質の場合に課金有りと判定すると（ＳＴ５、ＹＥＳ）、番組予約メニューＭＥ２の出力を指示し、映像出力処理部４０は、番組予約メニューＭＥ２を出力し、表示装置７は、番組予約メニューＭＥ２を表示する（ＳＴ６）。制御部１１が、高画質の場合に課金無し、と判定すると（ＳＴ５、ＮＯ）、番組予約メニューＭＥ３の出力を指示し、映像出力処理部４０は、番組予約メニューＭＥ３を出力し、表示装置７は、番組予約メニューＭＥ３を表示する（ＳＴ７）。制御部１１は、高画質番組情報を参照し、番組Ｐ１が高画質で出力可能である否か、高画質の場合に課金があるか否かを判定する。なお、制御部１１が、高画質で出力不能な番組Ｐ１の録画予約であると判定した場合は（ＳＴ４、ＮＯ）、通常の録画予約の確認画面に遷移し（ＳＴ１１）、通常の録画を実行する（ＳＴ１２）。
【００５５】
番組予約メニューＭＥ２は、番組Ｐ１のタイトル等の番組情報を含み、さらに通常録画の項目及び高画質録画の項目を含み、高画質録画の項目は、有料、課金有り等の情報を含む。さらに、高画質録画の項目が、料金の情報を含んでも良い。番組予約メニューＭＥ３は、番組Ｐ１のタイトル等の番組情報を含み、さらに通常録画の項目及び高画質録画の項目を含む。
【００５６】
ユーザが、操作機器２１を介して、番組予約メニューＭＥ２又はＭＥ３の通常録画の項目を選択すると（ＳＴ８、ＹＥＳ）、フラッシュメモリ１５が、番組Ｐ１の通常録画予約情報を記憶し、制御部１１は、番組Ｐ１の通常録画予約情報に従い、番組の録画を制御する。つまり、番組Ｐ１の通常録画予約情報に従い、第１の通信部３１は、放送波を介して番組Ｐ１のメイン映像情報（第１の画質）を受信し、記録処理部３５が、番組Ｐ１のメイン映像情報を録画する（ＳＴ１２）。
【００５７】
再生時には、再生処理部３７が、番組Ｐ１のメイン映像情報を再生し、映像出力処理部４０が、番組Ｐ１のメイン映像情報に基づき、番組Ｐ１を第１の画質で出力する第１の映像処理を実行し、これにより、表示装置７は、番組Ｐ１を第２の画質で表示する。
【００５８】
ユーザが、操作機器２１を介して、番組予約メニューＭＥ２又はＭＥ３の高画質録画の項目を選択すると（ＳＴ９、ＹＥＳ）、フラッシュメモリ１５が、番組Ｐ１の高画質録画予約情報を記憶し、制御部１１は、番組Ｐ１の高画質録画予約情報に従い、番組の録画を制御する。つまり、番組Ｐ１の高画質録画予約情報に従い、第１の通信部３１は、放送波を介して番組Ｐ１のメイン映像情報を受信し、第２の通信部３３は、ネットワークを介して番組Ｐ１の映像差分情報を受信し、記録処理部３５が、番組Ｐ１のメイン映像情報及び映像差分情報を録画する（ＳＴ１０）。
【００５９】
再生時には、再生処理部３７が、番組Ｐ１のメイン映像情報及び映像差分情報を再生し、映像出力処理部４０が、番組Ｐ１のメイン映像情報と映像差分情報に基づき、番組Ｐ１を第２の画質で出力する第２の映像処理を実行し、これにより、表示装置７は、番組Ｐ１を第２の画質で表示する。
【００６０】
或いは、番組Ｐ１の高画質録画予約情報に従い、第２の通信部３３は、ネットワークを介して番組Ｐ１の高解像度メイン映像情報を受信し、記録処理部３５が、番組Ｐ１の高解像度メイン映像情報を録画する（ＳＴ１０）。再生時には、再生処理部３７が、番組Ｐ１の高解像度メイン映像情報を再生し、映像出力処理部４０が、番組Ｐ１の高解像度メイン映像情報に基づき、番組Ｐ１を第２の画質で出力する第２の映像処理を実行し、これにより、表示装置７は、番組Ｐ１を第２の画質で表示する。
【００６１】
なお、番組予約メニューＭＥ２及びＭＥ３が、映像差分情報による録画を選択する項目と、高解像度メイン映像情報による録画を選択する項目とを含み、ユーザが、映像差分情報による録画と、高解像度メイン映像情報による録画とを選択できるようにしてもよい。
【００６２】
上記では録画のケース（録画予約の項目が選択され、高画質録画の項目が選択されるケース）について説明したが、視聴のケースも同様である。
【００６３】
また、ネットワークを介して高解像度メイン映像情報を受信できる場合、次のようなメニューを出力するようにしてもよい。例えば、図８に示すように、表示装置７が第２の番組案内画面を表示し、ユーザが、リモートコントローラなどの操作機器２１を介して番組セルＣ１（高画質で出力可能な番組のセル）を選択すると、制御部１１は、選択された番組セルＣ１の番組Ｐ１に対応する番組予約メニューＭＥ４の出力を指示し、映像出力処理部４０は、番組予約メニューＭＥ４を出力する。
【００６４】
番組予約メニューＭＥ４は、番組Ｐ１のタイトル等の番組情報を含み、さらに視聴予約の項目、録画予約の項目、及び高画質視聴の項目を含む。なお、高画質視聴の場合に有料の場合は、高画質視聴の項目が、有料、課金有り等の情報を含む。
【００６５】
つまり、ネットワーク経由で高解像度メイン映像情報を受信できる場合、オンデマンドで高画質映像を視聴することが可能であることから、番組予約メニューＭＥ４を出力することは有効である。ユーザは、操作機器２１を介して高画質視聴の項目を選択すると、番組予約メニューＭＥ４から高解像度メイン映像情報を提供するサーバの視聴画面へ遷移し、直ちに番組Ｐ１を第２の画質で視聴することができる。
【００６６】
以下、実施形態についてまとめる。
【００６７】
実施形態の電子機器１は、映像差分情報又は高解像度メイン映像情報を取得可能な場合、高画質で表示可能なことを示す情報を含む番組案内画面（図５）を出力（表示）する。
【００６８】
（１）電子機器１は、放送波又はネットワークを介して番組案内情報を受信し、放送波で受信される第１の画質のコンテンツを第２の画質のコンテンツへ高画質化するための映像差分情報を放送波又はネットワークで取得可能な場合、前記番組表情報に基づき、第１の画質のコンテンツが第２の画質で出力可能であることを示す情報を含む番組表（第２の番組案内画面）を生成し出力（表示）する。
【００６９】
（２）電子機器１は、放送波又はネットワークを介して番組表情報を受信し、放送波で受信される第１の画質のコンテンツと同一の第２の画質のコンテンツ（高解像度メイン映像情報）をネットワークで取得可能な場合、前記番組表情報に基づき、第１の画質のコンテンツが第２の画質で出力可能であることを示す情報を含む番組表を生成し出力（表示）する。
【００７０】
（３）電子機器１は、第１の画質のコンテンツが第２の画質で出力可能であることを示す情報を含む番組表を介して、第２の画質で出力可能なコンテンツの録画予約操作を受け付けた場合、放送波で受信される第１の画質のコンテンツを録画するか、又は映像差分情報或いは高解像度メイン映像情報を受信して第２の画質のコンテンツを録画するか、確認メッセージを出力（表示）する。
【００７１】
さらに、電子機器１は、第２の画質のコンテンツの録画に対して課金される場合には、課金メッセージを出力（表示）する。
【００７２】
（４）電子機器１は、放送波又はネットワークを介して第２の番組案内画面を表示するための番組案内情報を受信できる場合、表示装置７の性能に応じて、第１の番組案内画面又は第２の番組案内画面を出力（表示）する。
【００７３】
（５）電子機器１は、放送波又はネットワークを介して番組表情報を受信し、放送波又はネットワークを介して高画質番組情報を受信し、番組表情報及び高画質番組情報に基づき、第１の画質のコンテンツが第２の画質で出力可能であることを示す情報を含む番組表（第２の番組案内画面）を生成し出力（表示）する。
【００７４】
（６）電子機器１は、第１の画質のコンテンツが第２の画質で出力可能であることを示す情報を含む番組表を介して、第２の画質で出力可能なコンテンツの検索を受け付け、第２の画質で出力可能なコンテンツを検索し、第２の画質で出力可能なコンテンツを番組表内で識別表示する、又は第２の画質で出力可能なコンテンツの一覧を表示する。
【００７５】
（７）電子機器１は、表示装置７の表示性能(パネル解像度、ネットワーク接続可否)、環境(ネットワーク接続状況)等によって、第１の番組案内画面又は第２の番組案内画面の出力（表示）を切り換える。
【００７６】
以上により、実施形態の電子機器１は、放送波により受信される第１の画質のコンテンツを第２の画質で視聴又は録画する選択を容易にできる。またコンテンツ提供者にとっては、高画質映像（第２の画質）の提供が周知しやすいため、課金コンテンツの視聴又は録画を促進できる。
【００７７】
なお、上記処理（各種情報の受信処理、番組案内の生成処理、出力処理、表示処理等）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００７８】
例えば、電子機器１は、ドライブ部２８を介して、コンピュータ読み取り可能な記憶媒体から上記プログラムを読み取り、フラッシュメモリ１５に読み取ったプログラムを記憶し、プログラムのインストールを完了することができる。
【００７９】
或いは、電子機器１は、送受信部２２等を介して、上記プログラムをダウンロードし、フラッシュメモリ１５にダウンロードしたプログラムを記憶し、プログラムのインストールを完了することができる。これにより、上記コンピュータに相当する電子機器１の制御部１１は、インストールされた上記プログラムに基づき、上記処理を容易に実現することができる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００８１】
これら実施形態やその変形は、発明の範囲や要旨に含まれると同様に、特許請求の範囲に記載された発明とその均等の範囲に含まれるものである。
【符号の説明】
【００８２】
１…電子機器、２…アンテナ、３…チューナ、４…信号処理部、５…映像処理部、６…音声処理部、７…表示装置、９…スピーカ、１０…バス、１１…制御部、１３…ＲＡＭ、１４…ＲＯＭ、１５…フラッシュメモリ、１７…内部記録装置、１８…外部インターフェース、２０…操作受信部、２２…送受信部（ネットワークインターフェース）、２８…ドライブ部２８、３１…第１の通信部、３２…第１の入力部、３３…第２の通信部、３４…第２の入力部、３５…記録処理部、３６…記録部、３７…再生処理部、３８…映像情報デコード部、３９…映像差分情報デコード部、４０…映像出力処理部
【図１】
2014138394.tif 000003
【図２】
2014138394.tif 000004
【図３】
2014138394.tif 000005
【図４】
2014138394.tif 000006
【図５】
2014138394.tif 000007
【図６】
2014138394.tif 000008
【図７】
2014138394.tif 000009
【図８】
2014138394.tif 000010
【図９】
2014138394.tif 000011